(57)【特許請求の範囲】
【請求項１】
複数の受信装置を有するダイバーシチ機能搭載型の移動通信端末であって、
前記受信装置は、アンテナを介して受信された受信信号を増幅する増幅器を備え、
前記増幅器ごとのダイナミックレンジのターゲットのうち、少なくとも一の前記ターゲットを、他の前記ターゲットと連続するように、基準値から所定の値変更することを特徴とする移動通信端末。
【請求項２】
前記所定の値は、５ｄＢであることを特徴とする請求項１記載の移動通信端末。
【請求項３】
前記受信装置は、前記受信信号の受信レベルが前記ダイナミックレンジの範囲内に収まらない場合に、前記ターゲットを変更するターゲット変更手段をさらに備えることを特徴とする請求項１または２記載の移動通信端末。
【請求項４】
ダイバーシチ機能を有する移動通信端末に搭載される複数の受信装置を制御する方法であって、
前記受信装置は、アンテナを介して受信された受信信号を増幅する増幅ステップを備え、
前記増幅ステップにおけるダイナミックレンジのターゲットのうち、少なくとも一の前記ターゲットを、他の前記ターゲットと連続するように、基準値から所定の値変更させることを特徴とする移動通信端末に搭載される複数の受信装置を制御する方法。
【発明の詳細な説明】
【技術分野】
【０００１】
本発明は、複数の受信装置を搭載した移動通信端末およびこの移動通信端末に搭載される複数の受信装置を制御する方法に関する。
【背景技術】
【０００２】
近年、インターネットが急速に普及し、情報の多元化や大容量化が進んでいる。これに伴い、移動通信の分野でも高速無線通信を実現するための次世代無線アクセス方式についての研究や開発が盛んに行われている。この次世代無線アクセス方式として、例えば、移動通信端末（移動機）の受信環境に応じてスループットが決まる適応変復調・誤り訂正符号化（ＡＭＣ：Adaptive Modulation and channel Coding）を用いたＨＳＤＰＡ（High Speed Downlink Packet Access）システムがある。このＨＳＤＰＡシステムを用いると、スループットを飛躍的に向上させることが可能となる。しかしながら、スループットを飛躍的に向上させるためには従来のＷ−ＣＤＭＡ技術に比して、より良好な受信感度を有する移動通信端末が必要となる。【０００３】
移動通信端末の受信感度を良好にする技術の一つとして、移動通信端末に複数の受信装置を実装させて複数のアンテナから入力された信号を合成・選択する受信ダイバーシチ技術がある。下記特許文献１には、ダイバーシチ受信に関する技術が開示されている。【０００４】
従来のＷ−ＣＤＭＡ端末内で処理される信号の流れについて、図１に示すＷ−ＣＤＭＡ端末（受信ダイバーシチ非搭載端末）の回路構成図を参照して説明する。まず、アンテナ８１により受信された受信信号が、ＬＮＡ（Low Noise Amp；低雑音増幅器）８２によって、ＲＦ（Radio Frequency）帯域のまま増幅される。次に、増幅された信号が、Down converter（ダウンコンバータ）８３によってダウンコンバートされ、このダウンコンバートされた信号が、ＡＧＣ（Automatic Gain Control；自動利得制御増幅器）８４によって線形増幅される。次に、線形増幅された信号が、Quadrature detector（直交検波器）８５によって直交検波され、この直交検波された信号が、A/D converter（Ａ／Ｄコンバータ）８６によってデジタル信号に変換される。その後、変換されたデジタル信号が、Digital base band circuitry（デジタルベースバンド回路）９０によって復調される。
【特許文献１】特開平８−７９１４６号公報
【発明の開示】
【発明が解決しようとする課題】
【０００５】
ところで、従来のＷ−ＣＤＭＡシステムでは、送信電力制御を採用しているため、移動通信端末の受信レベルは、通常、ＡＧＣのダイナミックレンジ（許容できる入力信号の受信レベル）の範囲内に収まる。この場合には、図２に示すように、ダイナミックレンジＤの範囲内に収まる入力信号ＩＳがＡＧＣ８４に入力されるため、正常に線形増幅された出力信号ＯＳが出力される。【０００６】
これに対して、次世代無線アクセス方式の一であるＨＳＤＰＡシステムでは、送信電力制御を採用せずに、移動通信端末の受信環境に応じてスループットが決まる適応変復調・誤り訂正符号化が採用されるため、移動通信端末の受信レベルがＡＧＣのダイナミックレンジの範囲内から外れてしまう可能性がある。この場合には、図３に示すように、ダイナミックレンジＤの範囲内に収まらない入力信号ＩＳがＡＧＣ８４に入力されることになる。この場合には、ダイナミックレンジＤの範囲内に収まる入力信号部分ＩＳａのみが線形増幅の対象となるため、線形増幅後の出力信号ＯＳには歪みが生じてしまう。これにより、特性が劣化してしまい、その後にA/D converter８６から出力されるデジタル信号に悪影響を与えることになる。【０００７】
このような問題は、ＡＧＣのダイナミックレンジを通常よりも広げることで解決することができる。しかしながら、ダイナミックレンジを広げるためには、新たにＡＧＣを開発しなければならず困難を要するとともに、ＡＧＣを実装する端末のコスト増を招来することになる。
【課題を解決するための手段】
【０００８】
そこで、本発明は、上述した課題を解決するために、ダイナミックレンジを広げることなく、より電力幅の広い信号を受信することができる移動通信端末および移動通信端末に搭載される複数の受信装置を制御する方法を提供することを目的とする。【０００９】
本発明の移動通信端末は、複数の受信装置を有するダイバーシチ機能搭載型の移動通信端末であって、受信装置は、アンテナを介して受信された受信信号を増幅する増幅器を備え、増幅器ごとのダイナミックレンジのターゲットのうち、少なくとも一のターゲットを、他のターゲットと連続するように、基準値から所定の値変更することを特徴とする。
【００１０】
また、本発明の移動通信端末に搭載される複数の受信装置を制御する方法は、ダイバーシチ機能を有する移動通信端末に搭載される複数の受信装置を制御する方法であって、受信装置は、アンテナを介して受信された受信信号を増幅する増幅ステップを備え、増幅ステップにおけるダイナミックレンジのターゲットのうち、少なくとも一のターゲットを、他のターゲットと連続するように、基準値から所定の値変更させることを特徴とする。
【００１１】
これらの発明によれば、ダイナミックレンジを広げることなく、より電力幅の広い信号を受信することができる。【００１２】
本発明の移動通信端末において、上記所定の値は、５ｄＢであることが好ましい。また、本発明の移動通信端末において、上記受信装置は、受信信号の受信レベルがダイナミックレンジの範囲内に収まらない場合に、ターゲットを変更するターゲット変更手段をさらに備えることが好ましい。この場合には、例えば、受信レベルがダイナミックレンジの高電力側に外れた場合には、ダイナミックレンジのターゲットを、基準値よりも高い値に変更させることができ、受信レベルがダイナミックレンジの低電力側に外れた場合には、ダイナミックレンジのターゲットを、基準値よりも低い値に変更させることができる。これにより、ダイナミックレンジのターゲットを、受信レベルの変動に応じて効率よく変更させることができる。
【発明の効果】
【００１３】
本発明に係る移動通信端末および移動通信端末に搭載される複数の受信装置を制御する方法によれば、ダイナミックレンジを広げることなく、より電力幅の広い信号を受信することができる。
【図面の簡単な説明】
【００１４】
【図１】従来の受信ダイバーシチ非搭載端末の回路構成を例示する図である。
【図２】入力信号がＡＧＣのダイナミックレンジの範囲内に収まる場合の信号遷移状態を説明するための図である。
【図３】入力信号がＡＧＣのダイナミックレンジの範囲内に収まらない場合の信号遷移状態を説明するための図である。
【図４】実施形態における移動通信端末の受信部の回路構成を例示する図である。
【図５】ＡＧＣのダイナミックレンジのターゲットを変更して入力信号を増幅する場合の信号遷移状態を模式的に例示した図である。
【図６】ＡＧＣのダイナミックレンジのターゲットを変更せずに入力信号を増幅する場合の信号遷移状態を模式的に例示した図である。
【図７】ダイナミックレンジおよびターゲットについて説明するための図である。
【図８】変形例におけるＲＦ receiver circuitryの回路構成を例示する図である。
【図９】変形例における入力部およびＡＧＣ制御部における動作を説明するためのシーケンスチャートである。
【符号の説明】
【００１５】
１０・・・ＲＦ receiver circuitry、１１・・・アンテナ、１２・・・ＬＮＡ、１３・・・Down converter、１４・・・ＡＧＣ、１５・・・Quadrature detector、１６・・・A/D converter、１７・・・入力部、１８・・・ＡＧＣ制御部、２０・・・Digital base band circuitry。
【発明を実施するための最良の形態】
【００１６】
以下、本発明に係る移動通信端末およびこの移動通信端末に搭載される複数の受信装置を制御する方法の実施形態を図面に基づき説明する。なお、各図において、同一要素には同一符号を付して重複する説明を省略する。【００１７】
本実施形態における移動通信端末は、例えば、ＨＳＤＰＡによる高速無線通信機能を搭載しており、ハイレートな誤り訂正符号や、１６ＱＡＭ（Quadrature Amplitude Modulation；直行振幅変調）、６４ＱＡＭ等の多値変調を用いることによって、周波数利用効率を高めて高速無線通信を実現している。なお、移動通信端末としては、例えば、携帯電話機、簡易型携帯電話機（ＰＨＳ）、通信機能を有する携帯型情報端末（ＰＤＡ）等が該当する。【００１８】
図４は、実施形態における移動通信端末の受信部の回路構成を例示する図である。図４に示すように、移動通信端末の受信部は、ダイバーシチ機能を有する二つのＲＦreceiver circuitry（ＲＦ受信回路）１０Ａ，１０Ｂ（受信装置）と、各ＲＦ receiver circuitry１０から出力されたデジタル信号に基づいて復調処理を行うDigital base band circuitry（デジタルベースバンド回路）２０とを有する。ＲＦ receiver circuitry１０Ａは、基地局から送信されるＲＦ信号を常時受信する主受信装置として機能し、ＲＦ receiver circuitry１０Ｂは、ダイバーシチ機能が起動しているときにのみＲＦ信号を受信する補助受信装置として機能する。【００１９】
なお、ＲＦ receiver circuitry１０は、二つである必要はなく、三つ以上であってよい。すなわち、複数のＲＦ receiver circuitry１０から出力された信号を合成または選択してダイバーシチ機能を実現すればよい。また、ダイバーシチ機能は、常時起動させることとしてもよい。【００２０】
ＲＦ receiver circuitry１０は、アンテナ１１と、ＬＮＡ（Low Noise Amp；低雑音増幅器）１２と、Down converter（ダウンコンバータ）１３と、ＡＧＣ（Automatic Gain Control；自動利得制御増幅器）１４と、Quadrature detector（直交検波器）１５と、A/D converter（Ａ／Ｄコンバータ）１６とを有する。【００２１】
ＬＮＡ１２は、アンテナ１１により受信されたＲＦ信号を、ＲＦ帯域のまま増幅する。Down converter１３は、ＬＮＡ１２により増幅された信号を、中間周波数（ベースバンド帯域）に変換する。ＡＧＣ１４は、Down converter１３により変換された信号を線形増幅する。Quadrature detector１５は、ＡＧＣ１４により増幅された信号に基づいて直交検波を行う。A/D converter１６は、Quadrature detector１５により直交検波されたアナログ信号をデジタル信号に変換する。【００２２】
本実施形態における移動通信端末は、各ＡＧＣ１４Ａ，１４Ｂのダイナミックレンジのターゲットを、予め、基準値から所定の値ずらして変更しておく点に特徴がある。【００２３】
ここで、図７を参照して、ダイナミックレンジとターゲットについて説明する。図７に示すように、ダイナミックレンジＤは、ＡＧＣ１４において許容される入力信号の入力レベルによって表され、ターゲットＴは、ダイナミックレンジＤにおける入力レベルと出力レベルの線形関数によって表される。【００２４】
ターゲットを基準値からずらす際の所定の値としては、例えば、５ｄＢが該当するが、このずらす値は５ｄＢに限定されない。各ダイナミックレンジＤＡ，ＤＢが連続する範囲内でずらして変更することが好ましい。すなわち、各ダイナミックレンジＤＡ，ＤＢのターゲットが連続する範囲内でずらして変更することが好ましい。これは、各ダイナミックレンジＤＡ，ＤＢのターゲットが離れてしまうと、ターゲット間に隙間ができてしまい、この隙間に収まる入力信号が、いずれのダイナミックレンジＤＡ，ＤＢにも含まれないこととなり、歪みのない合成信号を生成することが困難になるためである。【００２５】
ターゲットを変更する方法としては、以下の方法がある。【００２６】
一つ目の方法は、各ＡＧＣ１４Ａ，１４Ｂのダイナミックレンジのターゲットのうち、一方のターゲットを基準値よりも高い値に変更し、他方のターゲットを基準値よりも低い値に変更する方法である。なお、本実施形態においては、これ以降の各説明を、この一つ目の方法を用いて説明することにする。【００２７】
二つ目の方法は、各ＡＧＣ１４Ａ，１４Ｂのダイナミックレンジのターゲットのうち、一方のターゲットを基準値のまま変更せずに、他方のターゲットを基準値よりも高い値または低い値に変更する方法である。ここで、ダイバーシチ機能を停止させる場合には、一般に、補助受信回路１０Ｂ側を停止させる。このような移動通信端末では、補助受信回路１０Ｂ側に備えられているＡＧＣ１４Ｂのダイナミックレンジのターゲットのみをずらすこととしてもよい。これにより、主受信回路１０Ａ側のダイナミックレンジのターゲットについては、従来通りの最適な設定をそのまま維持しておくことができるため、ダイバーシチ機能が停止しているときの受信能力の落ち込みを極力抑止させることができる。【００２８】
次に、図５および図６を参照して、ダイナミックレンジのターゲットを基準値からずらして変更した場合（本願発明）と変更しない場合（従来技術）とにおける増幅処理についてそれぞれ説明する。【００２９】
図５は、ダイナミックレンジのターゲットを変更して入力信号を増幅する場合の信号遷移状態を模式的に例示した図であり、図６は、ダイナミックレンジのターゲットを変更せずに入力信号を増幅する場合の信号遷移状態を模式的に例示した図である。【００３０】
図５に示す入力信号ＩＳＡは、アンテナ１１Ａにより受信され、その後ＡＧＣ１４Ａに入力される信号である。入力信号ＩＳＢは、アンテナ１１Ｂにより受信され、その後ＡＧＣ１４Ｂに入力される信号である。ダイナミックレンジＤＡは、ＡＧＣ１４Ａのダイナミックレンジであり、ダイナミックレンジＤＢは、ＡＧＣ１４Ｂのダイナミックレンジである。出力信号ＯＳＡは、ＡＧＣ１４Ａから出力される信号であり、出力信号ＯＳＢは、ＡＧＣ１４Ｂから出力される信号である。合成信号ＳＳは、Digital base band circuitry２０において出力信号ＯＳＡと出力信号ＯＳＢとが合成処理された後の信号である。【００３１】
図５に示すダイナミックレンジＤＡのターゲットＴＡは、基準ＴＳとなる値よりも高い値に変更されており、ダイナミックレンジＤＢのターゲットＴＢは基準ＴＳとなる値よりも低い値に変更されている。具体的に説明すると、例えば、ダイナミックレンジＤＡ，ＤＢが、それぞれ６０ｄＢであるとした場合に、ダイナミックレンジＤＡのターゲットを基準値よりも５ｄＢ高い値に変更し、ダイナミックレンジＤＢのターゲットを基準値よりも５ｄＢ低い値に変更する。この場合には、各ターゲットが５０ｄＢ重なることになる。【００３２】
図５に示すように、入力信号ＩＳＡ，ＩＳＢの波形は、ダイナミックレンジＤＡ，ＤＢの範囲内に収まらない。しかしながら、ダイナミックレンジＤＡ，ＤＢの範囲内に収まらない部分は、入力信号ＩＳＡ，ＩＳＢのうちの相違する部分である。すなわち、入力信号ＩＳＡのうち、ダイナミックレンジＤＡの範囲内に収まらないのは、受信レベルの低い部分Ｌであるのに対し、入力信号ＩＳＢのうち、ダイナミックレンジＤＢの範囲内に収まらないのは、受信レベルの高い部分Ｈである。したがって、ＡＧＣ１４Ａで線形増幅された後の出力信号ＯＳＡは、受信レベルの低い部分が歪んだ信号として出力され、ＡＧＣ１４Ｂで線形増幅された後の出力信号ＯＳＢは、受信レベルの高い部分が歪んだ信号として出力される。この結果、Digital base band circuitry２０において合成される出力信号ＳＳには、歪みが生じない。これは、歪みの生じた場所が相違する出力信号ＯＳＡ，ＯＳＢが合成されるため、それぞれの歪みが補われ、歪みが解消するためである。なお、受信レベルとは、受信電力や受信電界強度等をいう。【００３３】
このようにダイナミックレンジのターゲットを基準値からずらして変更することによって、ダイナミックレンジの範囲を広げた場合と同様の効果を得ることができるとともに、さらに、ダイナミックレンジが重なる範囲については、ダイバーシチ機能による合成ゲインを得ることができる。【００３４】
一方、図６に示すダイナミックレンジＤＡのターゲットとダイナミックレンジＤＢのターゲットは、基準値のままであり、同一レベルである。図６に示すように、入力信号ＩＳＡ，ＩＳＢの波形は、ダイナミックレンジＤＡ，ＤＢの範囲内に収まらない。したがって、ＡＧＣ１４Ａ，１４Ｂでは、ダイナミックレンジＤＡ，ＤＢの範囲に含まれる入力信号のみを線形増幅する。これにより、ＡＧＣ１４Ａ，１４Ｂから出力される出力信号ＯＳＡ，ＯＳＢは、受信レベルの高い部分と低い部分とが歪んだ信号として出力される。この結果、Digital base band circuitry２０で合成された後の合成信号ＳＳも、受信レベルの高い部分と低い部分とが歪んだままとなる。【００３５】
[変形例]
なお、ＡＧＣ１４Ａ，１４Ｂのダイナミックレンジのターゲットをずらして変更する方法は、上述した方法に限られない。例えば、以下において説明する各種の変形例により、ダイナミックレンジのターゲットを変更することとしてもよい。【００３６】
まず、アンテナ１１により受信される受信信号の受信レベルを監視し、この受信レベルがダイナミックレンジの範囲内から外れた場合に、ダイナミックレンジのターゲットを基準値からずらして変更することとしてもよい。この変形例におけるＲＦ receiver circuitryの回路構成について、図８を参照して説明する。図８に示すＲＦ receiver circuitry１０は、図４に示すＲＦ receiver circuitry１０ＡまたはＲＦ receiver circuitry１０Ｂに対応するものである。図８に示すＲＦreceiver circuitry１０は、入力部１７とＡＧＣ制御部１８（ターゲット変更手段）とを有する点で、図４に示すＲＦ receiver circuitry１０ＡまたはＲＦ receiver circuitry１０Ｂとは異なる。【００３７】
入力部１７は、アンテナ１１により受信される受信信号の受信レベルを監視して、受信レベルがＡＧＣ１４のダイナミックレンジの範囲内から外れたか否かを判定する。また、入力部１７は、受信レベルがＡＧＣ１４のダイナミックレンジの範囲内から外れたと判定した場合に、その受信レベルをＡＧＣ制御部１８に通知する。なお、この入力部１７の機能は、ＬＮＡ１２の機能に含めることとしてもよい。【００３８】
ＡＧＣ制御部１８は、入力部１７から通知された受信レベルに基づいて、ダイナミックレンジのターゲットを基準値からずらして変更する。具体的に説明すると、受信レベルがダイナミックレンジの高電力側に外れた場合に、ＡＧＣ制御部１８は、ダイナミックレンジのターゲットを、基準値よりも高い値に変更する。一方、受信レベルがダイナミックレンジの低電力側に外れた場合に、ＡＧＣ制御部１８は、ダイナミックレンジのターゲットを、基準値よりも低い値に変更する。また、受信レベルがダイナミックレンジの高電力側および低電力側に外れた場合には、基準値よりも高い値または基準値よりも低い値のいずれかに変更する。この場合に、どちらに変更するのかは予め設定することができる。【００３９】
ここで、ＲＦ receiver circuitryが複数ある場合には、以下のように変更することができる。【００４０】
一つ目の変更方法は、いずれか一のＲＦreceiver circuitryのダイナミックレンジのターゲットのみを上述したように変更し、他のＲＦ receiver circuitryのダイナミックレンジのターゲットを基準値のまま変更しない方法である。この一つ目の方法を用いた場合の入力部１７およびＡＧＣ制御部１８における動作を、図９を参照して説明する。まず、入力部１７は、アンテナ１１により受信される受信信号の受信レベルがＡＧＣ１４のダイナミックレンジの範囲内であるか否かを判定する（ステップＳ１）。この判定がＹＥＳである場合（ステップＳ１；ＹＥＳ）に、入力部１７は、処理をステップＳ１に移行する。一方、ステップＳ１における判定がＮＯである場合（ステップＳ１；ＮＯ）に、入力部１７は、受信レベルをＡＧＣ制御部１８に送信する（ステップＳ２）。次に、ＡＧＣ制御部１８は、入力部１７から通知された受信レベルが、ダイナミックレンジの高電力側に外れたか否かを判定する（ステップＳ３）。この判定がＹＥＳである場合（ステップＳ３；ＹＥＳ）に、ＡＧＣ制御部１８は、ダイナミックレンジのターゲットを、基準値よりも高い値に変更する（ステップＳ４）。一方、ステップＳ３における判定がＮＯである場合（ステップＳ３；ＮＯ）に、ＡＧＣ制御部１８は、ダイナミックレンジのターゲットを、基準値よりも低い値に変更する（ステップＳ５）。【００４１】
二つ目の変更方法は、いずれか二のＲＦreceiver circuitryのダイナミックレンジのターゲットのみを後述のように変更し、他のＲＦ receiver circuitryのダイナミックレンジのターゲットを基準値のまま変更しない方法である。二つ目の変更方法では、基準値よりも高い値に変更するＲＦ receiver circuitryと、基準値よりも低い値に変更するＲＦ receiver circuitryとを予め設定する。そして、受信レベルがダイナミックレンジの高電力側に外れた場合には、基準値よりも高い値に変更するＲＦ receiver circuitry側のダイナミックレンジのターゲットを、基準値よりも高い値に変更する。一方、受信レベルがダイナミックレンジの低電力側に外れた場合には、基準値よりも低い値に変更するＲＦ receiver circuitry側のダイナミックレンジのターゲットを、基準値よりも低い値に変更する。また、受信レベルがダイナミックレンジの高電力側および低電力側に外れた場合には、基準値よりも高い値に変更するＲＦ receiver circuitry側のダイナミックレンジのターゲットを、基準値よりも高い値に変更するとともに、基準値よりも低い値に変更するＲＦ receiver circuitry側のダイナミックレンジのターゲットを、基準値よりも低い値に変更する。【００４２】
次に、ダイナミックレンジのターゲットをずらして変更する他の変形例について説明する。【００４３】
まず、ＡＧＣ１４Ａ，１４Ｂの入力側（アンテナ１１側）に接続されているＬＮＡ１２Ａ，１２Ｂにおけるダイナミックレンジのターゲットと合致するようにずらして変更することとしてもよい。例えば、ＬＮＡのダイナミックレンジが１００ｄＢであり、ＡＧＣの各ダイナミックレンジが６０ｄＢである場合には、ＡＧＣのダイナミックレンジの合計が１００ｄＢになるようにターゲットをずらす。この場合には、各ターゲットが２０ｄＢ重なることになる。これにより、ＬＮＡ１２Ａ，１２Ｂで増幅された信号を漏らすことなく線形増幅させることができるため、ＡＧＣ１４Ａ，１４Ｂにおける特性の劣化を防止することができる。【００４４】
また、各ダイナミックレンジのターゲットが重なることなく、かつ、各ターゲットが連続するようにずらして変更することとしてもよい。例えば、各ダイナミックレンジが６０ｄＢである場合には、ずらした後のダイナミックレンジは１２０ｄＢとなる。これにより、ダイナミックレンジの範囲を実質上２倍に広げることができ、より電力幅の広い信号を受信することが可能となる。【００４５】
以上のように、本発明の移動通信端末においては、一または複数のダイナミックレンジのターゲットをずらすことで、移動通信端末全体としてのダイナミックレンジを広げることとした。これにより、従来から用いられているダイナミックレンジを広げることなく、より電力幅の広い信号を受信することができるようになった。【００４６】
最後に、本発明の移動通信端末は、受信ダイバーシチ機能を有する複数の受信装置を搭載した移動通信端末であって、上記受信装置毎にＡＧＣのダイナミックレンジのターゲットを５ｄＢずつずらすことを一の特徴とする。図５を参照して、本発明に係るＡＧＣのダイナミックレンジターゲットの値をアンテナ毎に変更する方法について説明する。図5に示すように、アンテナ１１Ａ側のＡＧＣ１４Ａは、より高いレベルの信号を受信できるように、ＡＧＣ１４Ａのダイナミックレンジのターゲットを５ｄＢ高い値に変更する。一方、アンテナ１１Ｂ側のＡＧＣ１４Ｂは、低いレベルの信号を受信できるように、ＡＧＣ１４Ｂのダイナミックレンジのターゲットを５ｄＢ低い値に変更する。アンテナ１１Ａ側で高いレベルをターゲットにすることによって受信レベルの低い部分の信号は歪んでしまうものの（逆に低いレベルをターゲットとしているアンテナ１１Ｂ側では高レベルの信号が歪んでしまう）、受信ダイバーシチはアンテナ毎の合成を行うので、合成後の信号は通常のダイナミックレンジターゲットのままの増幅信号（図6参照）と比較して、歪みによる影響を低減することが可能となる（ただし、受信ダイバーシチでは本来、デジタルベースバンド回路内での信号合成を行うのであるが、図５および図６ではわかりやすいように波形の合成という形で示している）。このような構成とすることで、ＡＧＣ１４のダイナミックレンジを変更することなく、従来の移動通信端末と比較して、より電力幅の広い信号を受信することが可能となる。ただし、一般的には受信ダイバーシチの機能を切断する場合も生じるので、メインアンテナのターゲットは従来通りとし、ダイバーシチアンテナのダイナミックレンジターゲットのみ高いレベルへ変更する方法が有効である。
【図１】
0004490446.tif 000002
【図２】
0004490446.tif 000003
【図３】
0004490446.tif 000004
【図４】
0004490446.tif 000005
【図５】
0004490446.tif 000006
【図６】
0004490446.tif 000007
【図７】
0004490446.tif 000008
【図８】
0004490446.tif 000009
【図９】
0004490446.tif 000010